(57)【要約】      （修正有）【課題】頑丈な構造を有したエンドカバーを軸筒の一端部に備えた筆記具を提供する。【解決手段】エンドカバー３は、軸筒１に装着される基台筒３ａと、基台筒３ａの外周に嵌合されるカバー本体３ｂと、基台筒３ａとカバー本体３ｂとの嵌合部位の外周に嵌合される止め環３ｃと、カバー本体３ｂを保持する保持力を向上させるのに資する協働手段とを有する。協働手段は、カバー本体３ｂの前端部から外方へ突出した外向きフランジ３１と、基台筒３ａの外周から外方へ伸びた第一の段部３２と、止め環３ｃの後端部から内方へ突出した係止部３４と、基台筒３ａの外周における第一の段部３２よりも前端側から外方へ伸びた第二の段部３３とを有する。外向きフランジ３１が第一の段部３２に係止され、止め環３ｃの前端面が第二の段部３３に係止されると共に係止部３４が外向きフランジ３１の後端面及びカバー本体３ｂの外周面に係止される。【選択図】図２
2013252699.tif 000002
【特許請求の範囲】
【請求項１】
軸筒の後端部に装着されるエンドカバーを備えた筆記具であって、
前記エンドカバーが、
前記軸筒の前記後端部に装着される基台筒と、
前記基台筒の後端部の外周に嵌合されるカバー本体と、
前記基台筒と前記カバー本体との間の少なくとも嵌合部位の外周に嵌合される止め環と、
前記基台筒と前記止め環とで前記カバー本体を保持する保持力を向上させるのに資する
協働手段とを有し、それにより、前記カバー本体、前記基台筒及び前記止め環が一体的に
接合されていることを特徴とする筆記具。
【請求項２】
前記協働手段が、
前記カバー本体の前端部から径方向での外方へ突出した外向きフランジと、
前記基台筒の軸線方向における中間部位の外周から前記径方向外方へ伸びた第一の段部
と、
前記止め環の後端部から前記径方向での内方へ突出した係止部と、
前記基台筒の外周における前記第一の段部よりも前端寄りの部位から前記径方向外方へ
伸びた第二の段部とを有し、
前記外向きフランジが前記第一の段部に係止されるように前記基台筒の前記後端部の外
周に前記カバー本体を嵌合し、前記止め環の前端面が前記第二の段部に係止されると共に
前記係止部が前記外向きフランジの後端面及びカバー本体の外周面に係止されるように前
記基台筒と前記カバー本体との間の少なくとも前記嵌合部位の外周に前記止め環を嵌合さ
せることにより、前記カバー本体、前記基台筒及び前記止め環が一体的に接合されている
ことを特徴とする、請求項１に記載の筆記具。
【請求項３】
前記協働手段が、
前記カバー本体の外周における前記外向きフランジよりも後方部位から前記径方向外
方に伸びて、前記外向きフランジとの間に凹部を区画している第三の段部を更に有し、
前記外向きフランジが前記第一の段部に係止されるように前記基台筒の前記後端部の外
周に前記カバー本体を嵌合し、前記止め環の前端面が前記第二の段部に係止されると共に
前記係止部が前記凹部内に嵌め込まれるように前記基台筒と前記カバー本体との間の少な
くとも前記嵌合部位の外周に前記止め環を嵌合させることにより、前記カバー本体、前記
基台筒及び前記止め環が一体的に接合されていることを特徴とする、請求項２に記載の筆
記具。
【請求項４】
前記協働手段が、
前記基台筒の軸線方向における中間部位の外周から径方向での外方へ伸びた第一の段部
と、
前記基台筒の外周における前記第一の段部よりも後端寄りの部位に形成された凹部と、
前記基台筒の外周における前記第一の段部よりも前端寄りの部位から前記径方向外方へ
伸びた第二の段部と、
前記カバー本体の内周における前記凹部と位置的に対応する部位から前記径方向での内
方へ突出した内向きフランジとを有し、
前記カバー本体の前端面が前記第一の段部に係止されると共に前記内向きフランジが前
記凹部内に嵌め込まれるように前記基台筒の前記後端部の外周に前記カバー本体を嵌合し、
前記止め環の前端面が前記第二の段部に係止されるように前記基台筒と前記カバー本体と
の間の少なくとも前記嵌合部位の外周に前記止め環を嵌合することにより、前記カバー本
体、前記基台筒及び前記止め環が一体的に接合されていることを特徴とする、請求項１に
記載の筆記具。
【請求項５】
前記協働手段が、
前記止め環の後端部から前記径方向内方へ突出した係止部と、
前記カバー本体の外周における前記係止部と位置的に対応する部位に形成された第二の
凹部とを更に有し、
前記カバー本体の前端面が前記第一の段部に係止されると共に前記内向きフランジが前
記第一の凹部内に嵌め込まれるように前記基台筒の前記後端部の外周に前記カバー本体を
嵌合し、前記止め環の前端面が前記第二の段部に係止されると共に前記係止部が前記第二
の凹部に嵌め込まれるように前記基台筒と前記カバー本体との間の少なくとも前記嵌合部
位の外周に前記止め環を嵌合することにより、前記カバー本体、前記基台筒及び前記止め
環が一体的に接合されていることを特徴とする、請求項４に記載の筆記具。
【請求項６】
前記カバー本体の外周面と前記止め環の外周面と前記基台筒の外周面とが面一になって
いることを特徴とする、請求項３又は５に記載の筆記具。
【請求項７】
前記基台筒と前記止め環との間の間隔を前記カバー本体の周壁の厚みより狭く設定する
ことにより、前記カバー本体が前記基台筒と前記止め環とによって緊密且つ強固に挟持さ
れていることを特徴とする、請求項１〜６の何れかに記載の筆記具。
【請求項８】
前記基台筒の前記後端部の外周面にローレットを設け、前記カバー本体が前記ローレッ
トを介して前記基台筒に対して回り止めされていることを特徴とする請求項１〜７の何れ
かに記載の筆記具。
【請求項９】
消しゴムを保持した消しゴムホルダーを更に有し、前記軸筒の前記後端部が開口され、
前記消しゴムホルダーが前記軸筒の前記後端部内に嵌着されて、前記消しゴムが前記エン
ドカバーで覆われていることを特徴とする、請求項１〜８の何れかに記載の筆記具。
【請求項１０】
前記軸筒と前記基台筒と前記止め環とが硬質な導電性材料から形成され、前記カバー本
体が電子機器のタッチパネルに接触させて使用されるタッチペンのペン先として機能する
ように弾力性のある導電性材料から形成されていることを特徴とする、請求項１〜９の何
れかに記載の筆記具。
【発明の詳細な説明】
【技術分野】
【０００１】
本発明は、筆記具に装飾性を持たせる機能を有する、消しゴムカバーとして機能する、
及び／又はタッチペンのペン先として機能するエンドカバーを、軸筒の一端部に備えた筆
記具に関するものである。
【背景技術】
【０００２】
従来、筆記具に装飾性を持たせるために、人形、動物又はキャラクター等を模した立体
形象物の付いたエンドカバーを軸筒の後端部に装着した筆記具が知られている。
【０００３】
また、軸筒の後端部に消しゴムホルダーを介して取り付けられた消しゴムを覆う消しゴ
ムカバーとして、軸筒の後端部に着脱自在に装着されたエンドカバーを備えた筆記具も知
られている（特許文献１）。
【０００４】
更に、軸筒の先端部に設けられた筆記要素に加えて、軸筒の後端部にコンピュータ、ワ
ードプロセッサ等の電子機器の入力用タッチペンのペン先を備えた、タッチペンとしても
兼用可能な筆記具も知られている（特許文献２）。この種のペン先の材料としては、一般に、
導電性プラスチック、導電性ゴム、導電性スポンジ等の弾性材料が採用されている（特許
文献３）。
【先行技術文献】
【特許文献】
【０００５】
【特許文献１】特開２００５−１６１８２９
【特許文献２】実開昭５８−１７５９７９
【特許文献３】実用新案登録第３１７３１１７号
【発明の概要】
【発明が解決しようとする課題】
【０００６】
立体形象物の付いたエンドカバーを備えた筆記具においては、エンドカバーに立体形象
物が付けられているため、エンドカバーは頑丈な構造を有していることが望まれる。
また、特許文献１に記載の筆記具についても、エンドカバーは、消しゴムを保護するた
めに頑丈な構造を有していることが必要である。
更に、エンドカバーを電子機器のタッチパネルに接触させて使用されるタッチペンのペ
ン先として使用することができれば、極めて便利である。この場合においても、エンドカ
バーは頑丈な構造を有していることが必要である。
そこで、本発明は、頑丈な構造を有したエンドカバーを軸筒の一端部に備えた筆記具を
提供することを課題とする。
【課題を解決するための手段】
【０００７】
本願の第１の発明によれば、軸筒の後端部に装着されるエンドカバーを備えた筆記具で
あって、エンドカバーが、軸筒の後端部に装着される基台筒と、基台筒の後端部の外周に
嵌合されるカバー本体と、基台筒とカバー本体との間の少なくとも嵌合部位の外周に嵌合
される止め環と、基台筒と止め環とでカバー本体を保持する保持力を向上させるのに資す
る協働手段とを有し、それにより、カバー本体、基台筒及び止め環が一体的に接合されて
いる筆記具が得られる。
【０００８】
本願の第２の発明によれば、前記第１の発明に係る筆記具の構成に加えて、協働手段が、
カバー本体の前端部から径方向での外方へ突出した外向きフランジと、基台筒の軸線方向
における中間部位の外周から径方向外方へ伸びた第一の段部と、止め環の後端部から径方
向での内方へ突出した係止部と、基台筒の外周における第一の段部よりも前端寄りの部位
から径方向外方へ伸びた第二の段部とを有し、外向きフランジが第一の段部に係止される
ように基台筒の後端部の外周にカバー本体が嵌合され、止め環の前端面が第二の段部に係
止されると共に係止部が外向きフランジの後端面及びカバー本体の外周面に係止されるよ
うに基台筒とカバー本体との間の少なくとも嵌合部位の外周に止め環が嵌合された構成を
有し、それにより、カバー本体、基台筒及び止め環が一体的に接合されている筆記具が得
られる。
【０００９】
本願の第３の発明によれば、前記第２の発明に係る筆記具の構成に加えて、協働手段が、
カバー本体の外周における外向きフランジよりも後方部位から径方向外方に伸びて、外向
きフランジとの間に凹部を区画している第三の段部を更に有し、外向きフランジが第一の
段部に係止されるように基台筒の後端部の外周にカバー本体が嵌合され、止め環の前端面
が第二の段部に係止されると共に係止部が凹部内に嵌め込まれるように基台筒とカバー本
体との間の少なくとも嵌合部位の外周に止め環が嵌合された構成を有し、それにより、カ
バー本体、基台筒及び止め環が一体的に接合されている筆記具が得られる。
【００１０】
本願の第４の発明によれば、前記第１の発明に係る筆記具の構成に加えて、協働手段が、
基台筒の軸線方向における中間部位の外周から径方向での外方へ伸びた第一の段部と、基
台筒の外周における第一の段部よりも後端寄りの部位に形成された凹部と、基台筒の外周
における第一の段部よりも前端寄りの部位から径方向外方へ伸びた第二の段部と、カバー
本体の内周における凹部と位置的に対応する部位から径方向での内方へ突出した内向きフ
ランジとを有し、カバー本体の前端面が第一の段部に係止されると共に内向きフランジが
凹部内に嵌め込まれるように基台筒の後端部の外周にカバー本体が嵌合され、止め環の前
端面が第二の段部に係止されるように基台筒とカバー本体との間の少なくとも嵌合部位の
外周に止め環を嵌合された構成を有し、それにより、カバー本体、基台筒及び止め環が一
体的に接合されている筆記具が得られる。
【００１１】
本願の第５の発明によれば、前記第４の発明に係る筆記具の構成に加えて、協働手段が、
止め環の後端部から径方向内方へ突出した係止部と、カバー本体の外周における係止部と
位置的に対応する部位に形成された第二の凹部とを更に有し、カバー本体の前端面が第一
の段部に係止されると共に内向きフランジが第一の凹部内に嵌め込まれるように基台筒の
後端部の外周にカバー本体が嵌合され、止め環の前端面が第二の段部に係止されると共に
係止部が第二の凹部に嵌め込まれるように基台筒とカバー本体との間の少なくとも嵌合部
位の外周に止め環が嵌合された構成を有し、それにより、カバー本体、基台筒及び止め環
が一体的に接合されている筆記具が得られる。
【００１２】
本願の第６の発明によれば、前記第３または第５の発明に係る筆記具の構成に加えて、
カバー本体の外周面と止め環の外周面と基台筒の外周面とが面一になった構成を有してい
る筆記具が得られる。
【００１３】
本願の第７の発明によれば、前記第１ないし第６のいずれかの発明に係る筆記具の構成
に加えて、基台筒と止め環との間の間隔をカバー本体の周壁の厚みより狭く設定すること
により、カバー本体が基台筒と止め環とによって緊密且つ強固に挟持させた構成を有する
筆記具が得られる。
【００１４】
本願の第８の発明によれば、前記第１ないし第７のいずれかの発明に係る筆記具の構成
に加えて、基台筒の後端部の外周面にローレットを設け、カバー本体をローレットを介し
て基台筒に対して回り止めさせた構成を有する筆記具が得られる。
【００１５】
本願の第９の発明によれば、前記第１ないし第８のいずれかの発明に係る筆記具の構成
に加えて、消しゴムを保持した消しゴムホルダーを更に有し、軸筒の後端部が開口され、
消しゴムホルダーが軸筒の後端部内に嵌着されて、消しゴムがエンドカバーで覆われてい
る構成を有している筆記具が得られる。
【００１６】
本願の第１０の発明によれば、前記第１ないし第９のいずれかの発明に係る筆記具の構
成に加えて、軸筒と基台筒と止め環とが硬質な導電性材料から形成され、カバー本体が電
子機器のタッチパネルに接触させて使用されるタッチペンのペン先として機能するように
弾力性のある導電性材料から形成されている構成を有した筆記具が得られる。
【発明の効果】
【００１７】
第１の発明によれば、エンドカバーに、基台筒と止め環とでカバー本体を保持する保持
力を向上させるのに資する協働手段を設けたので、カバー本体と基台筒と止め環とが一体
的に接合された頑丈なエンドカバーとして構成することができる。
【００１８】
第２の発明は、第１の発明が奏する効果に加えて、以下の効果を奏する。すなわち、外
向きフランジが第一の段部に係止されるように基台筒の後端部の外周にカバー本体が嵌合
され、止め環の前端面が第二の段部に係止されると共に係止部が外向きフランジの後端面
及びカバー本体の外周面に係止されるように基台筒とカバー本体との間の少なくとも嵌合
部位の外周に止め環が嵌合されているため、カバー本体が基台筒と止め環とによって強固
に保持される。また、カバー本体に外向きフランジを設けたので、カバー本体の内部に大
きなスペースを確保することができる。
【００１９】
第３の発明は、第２の発明が奏する効果に加えて、以下の効果を奏する。すなわち、外
向きフランジが第一の段部に係止されるように基台筒の後端部の外周にカバー本体が嵌合
され、止め環の前端面が第二の段部に係止されると共に係止部が凹部内に嵌め込まれるよ
うに基台筒とカバー本体との間の少なくとも嵌合部位の外周に止め環が嵌合されているた
め、径方向と、軸線方向に対する斜め方向での基台筒と止め環とによるカバー本体に対す
る保持力を更に高めることができる。
【００２０】
第４の発明は、第１の発明が奏する効果に加えて、以下の効果を奏する。すなわち、カ
バー本体の前端面が第一の段部に係止されると共に内向きフランジが凹部内に嵌め込まれ
るように基台筒の後端部の外周にカバー本体が嵌合され、止め環の前端面が第二の段部に
係止されるように基台筒とカバー本体との間の少なくとも嵌合部位の外周に止め環が嵌合
されているため、カバー本体が基台筒と止め環とによって強固に保持される。
【００２１】
第５の発明は、第４の発明が奏する効果に加えて、以下の効果を奏する。すなわち、カ
バー本体の前端面が第一の段部に係止されると共に内向きフランジが第一の凹部内に嵌め
込まれるように基台筒の後端部の外周にカバー本体が嵌合され、止め環の前端面が第二の
段部に係止されると共に係止部が第二の凹部に嵌め込まれるように基台筒とカバー本体と
の間の少なくとも嵌合部位の外周に止め環が嵌合されているので、カバー本体が基台筒と
止め環とによって更に強固に保持される。
【００２２】
第６の発明は、第３または第５の発明が奏する効果に加えて、以下の効果を奏する。す
なわち、カバー本体の外周面と止め環の外周面と基台筒の外周面とが面一になるよう構成
されているので、エンドカバーの外観を体裁の良いものにすることができて、筆記具の商
品価値を向上させることができる。
【００２３】
第７の発明によれば、第１ないし第６のいずれかの発明が奏する効果に加えて、以下の
効果を奏する。すなわち、基台筒と止め環との間の間隔がカバー本体の周壁の厚みより狭
く設定されて、カバー本体が基台筒と止め環とによって緊密且つ強固に挟持されているの
で、カバー本体に対する基台筒と止め環とによる保持力を更に向上させることができる。
【００２４】
第８の発明は、第１ないし第７のいずれかの発明が奏する効果に加えて、以下の効果を
奏する。すなわち、カバー本体がローレットを介して基台筒に対して回り止めされている
ので、カバー本体を基台筒に安定よく嵌合させた状態に維持させることができる。
【００２５】
第９の発明は、第１ないし第８のいずれかの発明が奏する効果に加えて、以下の効果を
奏する。すなわち、消しゴムカバーとして機能するエンドカバーを提供することができる。
【００２６】
第１０の発明は、第１ないし第９のいずれかの発明が奏する効果に加えて、以下の効果
を奏する。すなわち、エンドカバーをタッチペンのペン先として構成したので、多機能な
筆記具を提供することができる。
【図面の簡単な説明】
【００２７】
【図１】本発明が適用された筆記具全体を示した図である。
【図２】図１に示した筆記具の、図１のＸ−Ｘ線相当部を示した第一の実施形態の拡大断面図である。
【図３】図２に示した第一の実施形態の変形例を示した拡大断面図である。
【図４】図２に類似した拡大断面図で、本発明の第二の実施形態を示した図である。
【図５】図４に示した第二の実施形態の変形例を示した図である。
【図６】本発明の第三の実施形態に係る筆記具の全体を示した縦断面図である。
【図７】図６に示した筆記具のＹ−Ｙ線相当部を示した拡大縦断面図である。
【発明を実施するための形態】
【００２８】
本発明について、本発明を何ら限定するものではない実施形態を図示した添付図面を参
照して、以下に詳細に説明する。なお、筆記具における前端とは、筆記具の軸筒内に収容
された筆記要素の先端が突出する軸筒の端部をいい、筆記具における後端とは、筆記要素
の先端が突出する側と反対側の軸筒の端部をいう。
【００２９】
（第一の実施形態）
本発明が適用された筆記具は、図１に示したように、前軸筒体１ａと後軸筒体１ｂとに
より成る軸筒１を有し、前軸筒体１ａの先端側には、軸筒１内にスライド自在に収容され
た筆記要素の筆記先端２が出没する開口１ｃが形成されている。図１に示した筆記具にお
いては、軸筒１を前軸筒体１ａと後軸筒体１ｂとの二部品にて構成したが、軸筒１は一本
の軸筒体にて構成してもよい。尚、図１中の参照符号４はクリップを示す。筆記要素とし
ては、例えば、ボールペン用リフィル、シャープペンシル用リフィル、フェルトペン用リ
フィル等が挙げられる。
【００３０】
軸筒１の後軸筒体１ｂの後端部には、エンドカバー３が設けられている。このエンドカ
バー３としては、筆記具に装飾性を持たせるために人形、動物又はキャラクター等を模し
た立体形象物の付いたエンドカバー、軸筒１の後端部に消しゴムホルダーを介して取り付
けられた消しゴムを覆うためのエンドカバー、電子機器のタッチパネルに接触させて使用
されるタッチペンのペン先として使用可能なエンドカバー、及びこれらの機能を２つ以上
併せ持つエンドカバーを含む。
【００３１】
図２を参照すると、本発明の第一実施形態に係る筆記具のエンドカバー３は、軸筒１の
後軸筒体１ｂの後端部に装着される基台筒３ａと、基台筒３ａの後端部の外周に嵌合され
るカバー本体３ｂと、基台筒３ａとカバー本体３ｂとの間の少なくとも嵌合部位の外周に
嵌合される止め環３ｃと、基台筒３ａと止め環３ｃとでカバー本体３ｂを保持する保持力
を向上させるのに資する協働手段とを有し、それにより、カバー本体３ｂと基台筒３ａと
止め環３ｃとが一体的に接合された頑丈なエンドカバーとして構成されている。このよう
に一体化されたエンドカバー３は、基台筒３ａを後軸筒体１ｂの後端部に装着することに
より、軸筒１に取り付けられる。
【００３２】
基台筒３ａは、後軸筒体１ｂの後端部の外周に嵌着される略円筒状の大径筒部３ａ´と、
大径筒部３ａ´の後端より後方へ連続して形成されて、大径筒部３ａ´よりも小径な略円
筒状の小径筒部３ａ´´とを備えている。また、大径筒部３ａ´の後端縁は、径方向外方
へ伸びた第一の段部３２を構成している。更に、大径筒部３ａ´における第一の段部３２
よりも前端寄りの部位には、径方向外方へ伸びた第二の段部３３が設けられている。
【００３３】
カバー本体３ｂは、基台筒３ａの小径筒部３ａ´´の外周に嵌着される略円筒状の周壁
部３ｂ´と、周壁部３ｂ´の後端にドーム状に形成された天井部３ｂ´´と、周壁部３ｂ
´の前端部から径方向での外方へ突出した外向きフランジ３１とを備えている。外向きフ
ランジ３１は、周壁部３ｂ´の周回りに連続した環状のフランジとして形成されている。
【００３４】
止め環３ｃは、環状の部品であり、その外形は後端部の外径寸法が縮径した形状となっ
ている。また、止め環３ｃの前端から後端部に至る領域の内径寸法はほぼ一定しているも
のの、後端部は段状となって径方向内方へ伸びた環状の係止部３４を形成しているため、
後端部の内径寸法は止め環３ｃの前端から後端部に至る領域の内径寸法よりも小さくなっ
ている。
【００３５】
筆記具に装飾性を持たせるために人形、動物又はキャラクター等を模した立体形象物の
付いたエンドカバー、及び／又は、消しゴムカバーとして機能するエンドカバーとして使
用し、タッチペンのペン先としての使用を考慮しない場合に、カバー本体３ｂをゴムやス
ポンジ等の弾性材料で形成し、基台筒３ａと止め環３ｃとをプラスチック材料又は金属材
料から形成することができる。
【００３６】
エンドカバー３をタッチペンのペン先として機能させる場合には、カバー本体３ｂは、
弾力性のある導電性高分子化合物（例えば、導電性を帯びたシリコーンゴム）、導電性ゴム、
導電性スポンジ等の導電性材料から形成することができる。基台筒３ａと止め環３ｃは、
銅合金（例えば、黄銅）や鉄合金（例えば、ステンレス）等の金属材料、又は硬質な導電
性プラスチック材料等から形成することができる。また、軸筒１は金属材料または硬質な
導電性プラスチック材料の如き導電性材料から形成することができる。更に、軸筒１は、
プラスチック層又は金属メッキされたプラスチック層と該プラスチック層の外側に配置さ
れた金属製層との二層から成る材料にて構成することもできる。
【００３７】
図２に示した外向きフランジ３１、第一の段部３２、係止部３４及び第二の段部３３は、
上述の協働手段を構成している。
【００３８】
カバー本体３ｂは、外向きフランジ３１の前端面が第一の段部３２に係止されると共に
周壁部３ｂ´の内周面が基台筒３ａの小径筒部３ａ´´の外周面に係合されるように基
台筒３ａの後端部の外周に嵌合される。また、止め環３ｃは、これの前端面が第二の段部
３３に係止されると共に係止部３４が外向きフランジ３１の後端面に係止され且つカバー
本体３ｂの周壁部３ｂ´の外周面と係合するように基台筒３ａとカバー本体３ｂとの間
の嵌合部位の外周に嵌合されている。これにより、カバー本体３ｂ、基台筒３ａ及び止め
環３ｃが一体的に接合されている。
【００３９】
上述したように構成した第一の実施形態は、基台筒３ａと止め環３ｃとでカバー本体３
ｂを保持する保持力が協働手段を介して向上されているので、カバー本体３ｂと基台筒３
ａと止め環３ｃとが一体的に接合された頑丈なエンドカバー３として構成されている。特
に、カバー本体３ｂを弾力性のある材料から形成した場合に、カバー本体３ｂを基台筒３
ａと止め環３ｃとによって強固に保持することができる。エンドカバー３を、消しゴムカ
バーとして用いる場合は勿論のこと、カバー本体３ｂが弾力性のある導電性材料から形成
されたタッチペンのペン先として用いる場合であっても、カバー本体３ｂが基台筒３ａ及
び止め環３ｃから外れてしまうようなことはない。
【００４０】
エンドカバー３を消しゴムカバーとして用いる場合には、消しゴム５を保持した消しゴ
ムホルダー５ａは、消しゴムホルダー受け部５ｂとして構成された後軸筒体１ｂの後端部
内に嵌め込まれる。図２に示した実施形態においては、協働手段の一構成要素であるフラ
ンジ３１を径方向外方へ突出させてカバー本体３ｂに設けたので、カバー本体３ｂの内部
に軸径の大きな消しゴム５のための大きなスペースを確保することができる。
【００４１】
エンドカバー３を消しゴムカバーとして用いる場合には、消しゴム５を使用する度に、
エンドカバー３を軸筒１から取り外す必要があるため、例えば、軸筒１の後軸筒体１ｂの
後端部の外周面と基台筒３ａの前端部の内周面とに互いに螺合するねじ５ｃ，３０を設け
れば、上述したようにカバー本体３ｂと基台筒３ａと止め環３ｃとが一体的に接合されて
成るエンドカバー３を、それらネジ５ｃ，３０を介して軸筒１の後軸筒体１ｂの後端部に
対して着脱自在に螺着させることができる。尚、エンドカバー３を消しゴムカバーとして
用いない場合には、エンドカバー３を軸筒１の後軸筒体１ｂに取外し不能に固定してもよ
い。図２中で、参照符号６はＯリングを示す。
【００４２】
また、図２に示したように、基台筒３ａの小径筒部３ａ´´の外周面と止め環３ｃの係
止部３４の内周面との間の間隔ｗをカバー本体３ｂの周壁部３ｂ´の厚みｔより狭く設
定するようにできる。この場合には、カバー本体３ｂを、基台筒３ａと止め環３ｃとによ
って更に緊密に挟持させることができる。
【００４３】
なお、第一の実施形態では、基台筒３ａの小径筒部３ａ´´の外周面と止め環３ｃにお
ける係止部３４よりも前端側の内周面との間隔は、外向きフランジ３１の径方向外方への
突出幅とほぼ等しく設定されているが、外向きフランジ３１のその突出幅よりも狭く設定
してもよい。また、第一の実施形態では、基台筒３ａの第一の段部３２と止め環３ｃの係
止部３４における第一の段部３２に略平行な前端面との間の間隔は、外向きフランジ３１
の厚みとほぼ等しく設定されているが、外向きフランジ３１の厚みよりも狭く設定しても
よい。
【００４４】
更に、基台筒３ａの小径筒部３ａ´´の外周面にローレット３６を設けてもよい。この
場合には、カバー本体３ｂがローレット３６を介して基台筒３ａに対して回り止めされる
ので、カバー本体３ｂを基台筒３ａの後端部に安定的に嵌め合わされた状態に維持させる
ことができる。
【００４５】
（第一の実施形態の変形例）
図３は、図２に示した第一の実施形態の変形例を示した図である。この変形例は、協働
手段が、カバー本体３ｂの外周における外向きフランジ３１よりも後方部位から径方向外
方に伸びて、外向きフランジ３１との間に凹部３５を区画している第三の段部３７を有し
ている点を除いては、図２に示した第一の実施形態と同様に構成されている。従って、図
３に示した変形例の構成部分のうちで、図２に示した第一の実施形態と同じ構成部分につ
いては、図２で用いた参照符号と同じ参照符号を付し、それらについては繰り返し説明し
ない。
【００４６】
上述したように、カバー本体３ｂの外周には、外向きフランジ３１よりも後方部位から
径方向外方に突出した第三の段部３７が形成されている。この第三の段部３７の径方向外
方の突出幅は、止め環３ｃの後端面の厚みとほぼ等しく形成されている。図３に示した変
形例においては、第三の段部３７が、外向きフランジ３１、第一の段部３２、係止部３４、
第二の段部３３に加えて、協働手段を構成している。
【００４７】
図３に示した変形例において、カバー本体３ｂは、外向きフランジ３１の前端面が第一
の段部３２に係止されると共に周壁部３ｂ´の内周面が基台筒３ａの小径筒部３ａ´´
の外周面に係合されるように基台筒３ａの後端部の外周に嵌合される。また、止め環３ｃ
は、止め環３ｃの前端面が第二の段部３３に係止されると共に係止部３４が凹部３５内に
嵌め込まれるように基台筒３ａとカバー本体３ｂとの間の嵌合部位の外周に嵌合されてい
る。これにより、カバー本体３ｂ、基台筒３ａ及び止め環３ｃが一体的に接合されるため、
カバー本体３ｂを強固に保持することができる。更に、止め環３ｃの係止部３４がカバー
本体３ｂの凹部３５内に嵌合されているため、径方向と、軸線方向に対する斜め方向での
基台筒３ａと止め環３ｃとによるカバー本体３ｂに対する保持力を更に高めることができ
る。
【００４８】
また、カバー本体３ｂの外周面と止め環３ｃの外周面と基台筒３ａの外周面とが面一に
なるよう構成されるので、エンドカバー３の外観を体裁の良いものにすることができて、
筆記具の商品価値を向上させることができる。
【００４９】
更に、止め環３ｃの係止部３４がカバー本体３ｂの凹部３５内に嵌め込まれて、カバー
本体３ｂの径方向に伸びた第三の段部３７が止め環３ｃの係止部３４の後端面に係止され
るため、特に、カバー本体３ｂを弾力性のある材料から形成した場合に、使用によるカバ
ー本体３ｂの変形を抑制することができる。例えば、エンドカバー３をタッチペンのペン
先として用いるものとして構成するべくカバー本体３ｂを弾力性のある導電性材料から形
成した場合において、カバー本体３ｂを電子機器のタッチパネルに多数回に亘って接触さ
せたとしても、カバー本体３ｂの変形を抑制することができる。
【００５０】
（第二の実施形態）
図４は、本発明による第二の実施形態を示した図である。この実施形態は、エンドカバ
ー３を、例えば、小さな軸径の消しゴム５´を覆うための消しゴムカバー及びダッチペン
のペン先として用いる場合、即ち、カバー本体３ｂの内部に消しゴムのための大きなスペ
ースを確保する必要のない場合に適用される例である。より詳述すると、図４に示した実
施形態においては、協働手段が、基台筒３ａの外周における第一の段部３２よりも後端寄
りの部位に形成された凹部３８を有すると共に、カバー本体３ｂの内周における凹部３８
と位置的に対応する部位から径方向での内方へ突出した内向きフランジ３１´を外向き
フランジの代りに有している点において、図２に示した第一の実施形態と相違し、その他
の構成部分は、図２に示した実施形態と同様に構成されている。従って、図４に示した実
施形態の構成部分のうちで、図２に示した実施形態のものと同じ構成部分については、図
２で用いた参照符号と同じ参照符号を付し、それらについては繰り返し説明しない。
【００５１】
上述したように、基台筒３ａの外周における第一の段部３２よりも後端寄りの部位、つ
まり、小径筒部３ａ´´の外周には、周方向に連続した環状の凹部３８が形成されている。
また、カバー本体３ｂの周壁部３ｂ´の内周には、径方向内方に突出した内向きフランジ
３１´が形成されている。内向きフランジ３１´はカバー本体３ｂの周壁部３ｂ´の内周
の周回り方向に沿って連続した環状フランジとして形成されている。凹部３８と内向きフ
ランジ３１´とは互いに嵌め合わされるような相補的形状に形成されている。
【００５２】
なお、第二の実施形態では、凹部３８の径方向で測定される凹部３８の深さは、内向き
フランジ３１´の径方向内方への突出幅とほぼ等しく設定されているが、内向きフランジ
３１´の突出幅よりも浅く設定してもよい。また、第二の実施形態では、凹部３８の前後
方向で測定される凹部３８の長さは、内向きフランジ３１´の前後方向で測定される厚み
とほぼ等しく設定されているが、内向きフランジ３１´の上記厚みよりも狭く設定しても
よい。
【００５３】
図４に示した第二の実施形態においては、凹部３８、内向きフランジ３１´、第一の段
部３２及び第二の段部３３が、協働手段を構成している。
【００５４】
カバー本体３ｂは、周壁部３ｂ´の前端面が第一の段部３２に係止されると共に内向き
フランジ３１´が凹部３８内に嵌め込まれるように基台筒３ａの小径筒部３ａ´´の外
周に嵌合される。また、止め環３ｃは、その前端面が第二の段部３３に係止されると共に
後端側の内周面がカバー本体３ｂの周壁部３ｂ´の外周面と係合するように基台筒３ａ
とカバー本体３ｂとの間の嵌合部位の外周に嵌合されている。これにより、カバー本体３
ｂ、基台筒３ａ及び止め環３ｃが一体的に接合されるので、カバー本体３ｂを強固に保持
することができる。
【００５５】
（第二の実施形態の変形例）
図５は、図４に示した実施形態の変形例を示した図である。この変形例は、協働手段が、
止め環３ｃの後端部から径方向内方へ突出した係止部３９と、カバー本体３ｂの外周にお
ける係止部３９と位置的に対応する部位に形成された第二の凹部４０を更に有している点
において、図４に示した実施形態と相違し、その他の構成部分は、図４に示した実施形態
と同様に構成されている。従って、図５に示した変形例の構成部分のうちで、図４に示し
た実施形態のものと同じ構成部分については、図４で用いた参照符号と同じ参照符号を付
し、それらについては繰り返し説明しない。
【００５６】
止め環３ｃの後端部は、第一の実施形態の係止部３４と同様に、径方向での内方へ段状
に突出した係止部３９を構成している。また、カバー本体３ｂの周壁部３ｂ´の外周には、
内向きフランジ３１´よりも後方部位で係止部３９に対応する位置に、カバー本体３ｂの
周方向に連続した環状の第二の凹部４０が形成されている。凹部４０と係止部３９とは互
いに嵌め合わされるような相補的形状に形成されている。
【００５７】
上述したように、カバー本体３ｂの外周には、内向きフランジ３１´よりも後方部位に
第二の凹部４０が形成されている。この凹部４０の後端面の径方向で測定される寸法は、
径方向で測定される止め環３ｃの後端面の寸法とほぼ等しく形成されている。
【００５８】
図５に示した変形例においては、第一の凹部３８、内向きフランジ３１´、係止部３９、
第二の凹部４０、第一の段部３２及び第二の段部３３が、協働手段を構成している。
【００５９】
カバー本体３ｂは、周壁部３ｂ´の前端面が第一の段部３２に係止されると共に内向き
フランジ３１´が第一の凹部３８内に嵌め込まれるように基台筒３ａの小径筒部３ａ´
´の外周に嵌合される。また、止め環３ｃは、その前端面が第二の段部３３に係止される
と共に後端側の内周面がカバー本体３ｂの周壁部３ｂ´の外周面と係合すると共に係止
部３９が第二の凹部４０に嵌め込まれるように基台筒３ａとカバー本体３ｂとの間の嵌合
部位の外周に嵌合されている。これにより、カバー本体３ｂ、基台筒３ａ及び止め環３ｃ
が一体的に接合されるので、カバー本体３ｂを強固に保持することができる。更に、止め
環３ｃの係止部３９がカバー本体３ｂの第二の凹部４０内に嵌合されているため、径方向
と、軸線方向に対する斜め方向での基台筒３ａと止め環３ｃとによるカバー本体３ｂに対
する保持力を更に高めることができる。
【００６０】
また、カバー本体３ｂの外周面と止め環３ｃの外周面と基台筒３ａの外周面とが面一に
なるよう構成されるので、エンドカバー３の外観を体裁の良いものにすることができて、
筆記具の商品価値を向上させることができる。
【００６１】
更に、止め環３ｃの係止部３９がカバー本体３ｂの第二の凹部４０内に嵌め込まれて、
カバー本体３ｂの第二の凹部４０の径方向に伸びた後端面が止め環３ｃの係止部３９の後
端面に係止されるため、特に、カバー本体３ｂを弾力性のある材料から形成した場合に、
使用によるカバー本体３ｂの変形を抑制することができる。例えば、エンドカバー３をタ
ッチペンのペン先として用いるものとして構成するべくカバー本体３ｂを弾力性のある導
電性材料から形成した場合において、カバー本体３ｂを電子機器のタッチパネルに多数回
に亘って接触させたとしても、使用によるカバー本体３ｂの変形を抑制することができる。
【００６２】
（第三の実施形態）
上述の実施形態では、軸筒の後端部にエンドカバーを装着したが、本発明は、筆記要素
の先端を覆うキャップとして機能するエンドカバーに適用することも可能である。そこで、
筆記要素の筆記先端を覆うキャップとして機能するエンドカバーを備えた筆記具として具
体化することのできる本発明の第三の実施の形態について、以下に説明する。
【００６３】
図６及び図７を参照すると、第三の実施形態に係る筆記具は、前軸筒体１０ａと後軸筒
体１０ｂとを備えた軸筒１０を有し、この軸筒１０の内部には、筆記要素２０としてボー
ルペン用リフィルが挿入されている。前軸筒体１０ａの前端に形成された開口１０ｃから
筆記要素２０の先端２２が突出している。
【００６４】
軸筒１０における先端側の部分には、キャップとして機能するエンドカバー６が着脱可
能に取り付けられている。図７に明瞭に示されているように、エンドカバー６は、軸筒１
０における前端側の部分に着脱自在に装着される基台筒６ａと、基台筒６ａの前端部の外
周に嵌合されるカバー本体６ｂと、基台筒６ａとカバー本体６ｂとの間の少なくとも嵌合
部位の外周に嵌合される環状の止め環６ｃと、基台筒６ａと止め環６ｃとでカバー本体６
ｂを保持する保持力を向上させるのに資する協働手段とを備えている。カバー本体６ｂと
基台筒６ａと止め環６ｃとが一体的に接合することにより頑丈なエンドカバー６として構
成される。
【００６５】
この第三の実施形態においては、基台筒６ａは、上述した第一及び第二の実施形態にお
ける基台筒と相違して、前後端が開口した長尺な中空状の基台筒本体８０と基台筒本体８
０の前端部に固定された台部材８２との二部品にて構成されている。基台筒本体８０の前
端部には、クリップ７０の付け根部７２を引っ掛けることにより、クリップ７０が取り付
けられている。台部材８２は、基台筒本体８０の前端側開口部８０ａに挿嵌される挿嵌部
８２ａと、外径が挿嵌部８２ａの前端から前方にかけて段状に拡径した大径部８２ｂと、
外径が大径部８２ｂの前端から前方にかけて段状に縮径した小径部８２ｃを備えている。
また、大径部８２ｂの前端面は、径方向外方へ伸びた第一の段部６２を構成している。
さらに、大径部８２ｂの後端面は、基台筒本体８０の前端面とクリップ７０の付け根部７
２と接して、それらと共に径方向外方へ伸びた第二の段部６３を構成している。尚、台部
材８２の大径部８２ｂの後端面は、クリップ７０の付け根部７２には接触させることなく、
基台筒本体８０の前端面の全面に接触させて、基台筒本体８０の前端面と共に径方向外方
へ伸びた第二の段部６３を構成するようにしてもよい。この場合には、基台筒本体８０の
前端部の周壁に貫通穴を設けて、その貫通穴にクリップ７０の付け根部７２を挿入固定す
ることにより、クリップ７０をエンドカバー６に取り付ければよい。
【００６６】
カバー本体６ｂは、台部材８２の小径部８２ｃの外周に嵌着される筒状の周壁部６ｂ´
と、周壁部６ｂ´の前端にドーム状に形成された天井部６ｂ´´と、周壁部６ｂ´の後端
部から径方向での外方へ突出した外向きフランジ６１とを備えている。外向きフランジ６
１は、周壁部６ｂ´の後端部の周回りに連続した環状のフランジとして形成されている。
【００６７】
止め環６ｃは、環状の部品であり、その外形は後端から前端にかけて外径寸法が縮径し
た形状となっている。また、止め環６ｃの後端から中間部に至る領域の内径寸法はほぼ一
定しているものの、中間部が段状となって径方向内方へ伸びた第一の環状係止部６４を形
成し、更に前端部が段状となって径方向内方へ伸びた第二の環状係止部６４´を形成して
いるので、中間部及び前端部の内径寸法は止め環６ｃの後端から中間部に至る領域の内径
寸法よりも小さくなっている。
【００６８】
カバー本体６ｂは、外向きフランジ６１の後端面が台部材８２の第一の段部６２に係止
されると共に周壁部６ｂ´の内周面が台部材８２の小径部８２ｃの外周面に係合される
ように台部材８２の前端部の外周に嵌合される。また、止め環６ｃは、これの後端面が第
二の段部６３に係止されると共に第一の係止部６４と第二の係止部６４´とがそれぞれ
台部材８２の大径部８２ｂの前端面とカバー本体６ｂの外向きフランジ６１の前端面に係
止されて、台部材８２の大径部８２ｂの外周面とカバー本体６ｂの周壁部６ｂ´の外周面
と係合するように台部材８２とカバー本体６ｂとの間の少なくとも嵌合部位の外周に嵌合
されている。これにより、カバー本体６ｂ、基台筒６ａ及び止め環６ｃが一体的に接合さ
れている。この実施形態においては、外向きフランジ６１、第一の段部６２、第二の段部
６３、第一の係止部６４及び第二の係止部６４´が、協働手段を構成している。
【００６９】
尚、図６及び図７中に示した参照符号９０は、ユーザが、エンドキャップ６を軸筒１０
から取り外して、第三の実施形態に係る筆記具を用いて筆記する際に把持する環状のグリ
ッパーを示している。このグリッパー９０は、前軸筒体１０ａの周回りに形成された環状
凹部１０ａ´内に嵌め込まれている。
【００７０】
上述したように構成した第三の実施形態は、基台筒６ａと止め環６ｃとでカバー本体６
ｂを保持する保持力が協働手段を介して向上されているので、カバー本体６ｂと基台筒６
ａと止め環６ｃとが一体的に接合された頑丈なエンドカバー６として構成されている。特
に、カバー本体６ｂを弾力性のある材料から形成した場合に、カバー本体６ｂを基台筒６
ａと止め環６ｃとによって強固に保持することができる。カバー本体６ｂを弾力性のある
導電性材料から形成することにより、エンドカバー６を、筆記要素２０の筆記先端２２を
覆うキャップとして用いることに加えて、タッチペンのペン先としても用いることができ
る。この場合であっても、カバー本体６ｂが基台筒６ａ及び止め環６ｃから外れてしまう
ようなことはない。
【００７１】
エンドキャップ６をタッチペンのペン先としても用いる場合には、本実施形態において
は、基台筒６ａと止め環６ｃを金属材料又は硬質な導電性プラスチック材料等から形成す
ることに加えて、前軸筒体１０ａは表面が金属メッキされたプラスチック材料から形成さ
れ、後軸筒体１０ｂは、プラスチック材料又は外表面が金属メッキされたプラスチック材
料からなる内層と該内層の外表面に嵌め合わされた金属製層との二層から構成することが
できる。
【００７２】
（第三の実施形態の変形例）
第三の実施形態には、図３に示した本発明の技術的コンセプトを適用することができる。
即ち、第三の実施形態に係る筆記具のエンドカバー６の協働手段は、外向きフランジ６１，
第一の段部６２，第二の段部６３、第一の係止部６４及び第二の係止部６４´に加えて、
図３に示した、第一の実施形態の変形例と同様に第三の段部（図示せず）を有していても
よい。この図示されていない第三の段部は、カバー本体６ｂの外周における外向きフラン
ジ６１よりも前方部位から径方向外方に伸びて、外向きフランジ６１との間に凹部（図示
せず）を区画する。
【００７３】
第三の実施形態の変形例においては、カバー本体６ｂは、外向きフランジ６１の後端面
が台部材８２の第一の段部６２に係止されると共に周壁部６ｂ´の内周面が台部材８２
の小径部８２ｃの外周面に係合されるように基台筒６ａに嵌合される。また、止め環６ｃ
は、後端面が第二の段部６３に係止されると共に第一の係止部６４がカバー本体６ｂの外
向きフランジ６１の外周面に係合され且つ第二の係止部６４´がカバー本体６ｂの図示
されていない凹部内に嵌め込まれるように台部材８２とカバー本体６ｂとの間の少なくと
も嵌合部位の外周に嵌合される。これにより、カバー本体６ｂ、基台筒６ａ及び止め環６
ｃが一体的に接合されるように構成される。
【００７４】
（第四の実施形態）
本発明の第四の実施形態として、図６及び７に示した第三の実施形態に対して図４に示
した本発明の技術的コンセプトを適用した例を想定することができる。即ち、カバー本体
６ｂを、図４に示した実施形態のカバー本体と同様に、内向きフランジ（図示せず）を有
するように形成することができる。この場合には、基台筒６ａ、より正確には、基台筒６
ａの台部材８２の小径部８２ｃが環状の凹部（図示せず）を有している。図示されていな
い内向きフランジは、小径部８２ｃの図示されていない環状の凹部と位置的に対応するカ
バー本体６ｂの内周面部位の周回り方向に沿って連続して伸び且つ当該内周面部位から径
方向内方へ突出した環状フランジとして形成されている。第四の実施形態においては、カ
バー本体６ｂは、後端面が台部材８２の第一の段部６２に係止されると共に図示されてい
ない内向きフランジが小径部８２ｃの図示されていない凹部内に嵌め込まれるように台部
材８２の小径部８２ｃの外周に嵌合される。また、止め環６ｃは、後端面が第二の段部６
３に係止されるように基台筒６ａの台部材８２とカバー本体６ｂとの間の少なくとも嵌合
部位の外周に嵌め合わされる。これにより、カバー本体６ｂ、基台筒６ａ及び止め環６ｃ
が一体的に接合される。この実施形態においては、第一の段部６２と、第二の段部６３と、
第一の係止部６４と、第二の係止部６４´と、台部材８２の小径部８２ｃの図示されてい
ない環状凹部と、カバー本体６ｂの図示されていない内向きフランジとが、協働手段を構
成している。
【００７５】
（第四の実施形態の変形例）
第四の実施形態には、図５に示した本発明の技術的コンセプトを適用することができる。
即ち、カバー本体６ｂの外周における止め環６ｃの第二の係止部６４´と位置的に対応す
る部位に、図５に示したカバー本体と同様に、第二の凹部（図示せず）を有するように形
成することもできる。この変形例においては、カバー本体６ｂの後端面が第一の段部６２
に係止されると共に図示されていない内向きフランジが台部材８２の小径部８２ｃの図示
されていない第一の凹部内に嵌め込まれるように台部材８２の小径部８２ｃの外周にカバ
ー本体６ｂを嵌合し、止め環６ｃの後端面が第二の段部６３に係止されると共に第二の係
止部６４´がカバー本体６ｂの図示されていない第二の凹部に嵌め込まれるように台部
材８２の小径部８２ｃとカバー本体６ｂとの間の少なくとも嵌合部位の外周に止め環６ｃ
を嵌合することにより、カバー本体６ｂ、基台筒６ａ及び止め環６ｃが一体的に接合され
るように構成される。この変形例においては、第一の段部６２と、第二の段部６３と、台
部材８２の小径部８２ｃの図示されていない環状凹部と、カバー本体６ｂの図示されてい
ない第二の凹部と、第一の係止部６４と、第二の係止部６４´と、カバー本体６ｂの図示
されていない内向きフランジとが、協働手段を構成している。
【００７６】
尚、本発明の特定の実施形態について上述したが、本発明はそれら実施形態に限定され
るものではなく、本発明の要旨を逸脱しない範囲内において、上記実施形態に対して様々
な変更及び修正を加えることができることは明らかである。
【符号の説明】
【００７７】
１，１０：軸筒、１ａ，１０ａ：前軸筒体、１ｂ，１０ｂ：後軸筒体、１ｃ，１０ｃ：
開口、２，２０：筆記要素の先端、３，６：エンドカバー、３ａ，６ａ：基台筒、３ａ´：
基台筒の大径筒部、３ａ´´：基台筒の小径筒部、３ｂ，６ｂ：カバー本体、３ｂ´，６
ｂ´：カバー本体の周壁部、３ｂ´´６ｂ´´：カバー本体の天井部、３ｃ、６ｃ：止め
環、４，７０：クリップ、５：大きな軸径の消しゴム、５´：小さな軸径の消しゴム、５
ａ：消しゴムホルダー、５ｂ：消しゴムホルダー受け部、５ｃ，１０ａ´：前軸筒体の凹
部、３０：ねじ、３１，６１：外向きフランジ、３１´：内向きフランジ、３２，６２：
第一の段部、３３，６３：第二の段部、３４，３９，６４，６４´：係止部、３６：ロー
レット、３５，３８，４０：凹部、３７：第三の段部、７２：クリップの付け根部、８０：
基台筒本体、８０ａ：筒本体８０の前端側開口部、８２：台部材、８２ａ：台部材の挿嵌
部、８２ｂ：台部材の大径部、８２ｃ：台部材の小径部、９０：グリッパー
【図１】
2013252699.tif 000003
【図２】
2013252699.tif 000004
【図３】
2013252699.tif 000005
【図４】
2013252699.tif 000006
【図５】
2013252699.tif 000007
【図６】
2013252699.tif 000008
【図７】
2013252699.tif 000009
【手続補正書】
【提出日】平成25年5月8日(2013.5.8)
【手続補正１】
【補正対象書類名】明細書
【補正対象項目名】００４１
【補正方法】変更
【補正の内容】
【００４１】
エンドカバー３を消しゴムカバーとして用いる場合には、消しゴム５を使用する
度に、エンドカバー３を軸筒１から取り外す必要があるため、例えば、軸筒１の後
軸筒体１ｂの後端部の外周面と基台筒３ａの前端部の内周面とに互いに螺合するね
じ５ｃ，３０を設ければ、上述したようにカバー本体３ｂと基台筒３ａと止め環３
ｃとが一体的に接合されて成るエンドカバー３を、それらネジ５ｃ，３０を介して
軸筒１の後軸筒体１ｂの後端部に対して着脱自在に螺着させることができる。尚、
エンドカバー３を消しゴムカバーとして用いない場合には、エンドカバー３を軸筒
１の後軸筒体１ｂに取外し不能に固定してもよい。図２中で、参照符号１００はＯ
リングを示す。
【手続補正２】
【補正対象書類名】明細書
【補正対象項目名】００７７
【補正方法】変更
【補正の内容】
【００７７】
１，１０：軸筒、１ａ，１０ａ：前軸筒体、１ｂ，１０ｂ：後軸筒体、１ｃ，１
０ｃ：開口、２，２２：筆記要素の先端、３，６：エンドカバー、３ａ，６ａ：基
台筒、３ａ´：基台筒の大径筒部、３ａ´´：基台筒の小径筒部、３ｂ，６ｂ：カ
バー本体、３ｂ´，６ｂ´：カバー本体の周壁部、３ｂ´´，６ｂ´´：カバー本
体の天井部、３ｃ，６ｃ：止め環、４，７０：クリップ、５：大きな軸径の消しゴ
ム、５´：小さな軸径の消しゴム、５ａ：消しゴムホルダー、５ｂ：消しゴムホル
ダー受け部、５ｃ，３０：ねじ、１０ａ´：前軸筒体の凹部、２０：筆記要素、３
１，６１：外向きフランジ、３１´：内向きフランジ、３２，６２：第一の段部、
３３，６３：第二の段部、３４，３９，６４，６４´：係止部、３６：ローレット、
３５，３８，４０：凹部、３７：第三の段部、７２：クリップの付け根部、８０：
基台筒本体、８０ａ：基台筒本体の前端側開口部、８２：台部材、８２ａ：台部材
の挿嵌部、８２ｂ：台部材の大径部、８２ｃ：台部材の小径部、９０：グリッパー、
１００：Ｏリング
【手続補正３】
【補正対象書類名】図面
【補正対象項目名】図２
【補正方法】変更
【補正の内容】
【図２】
2013252699.tif 000010
【手続補正４】
【補正対象書類名】図面
【補正対象項目名】図３
【補正方法】変更
【補正の内容】
【図３】
2013252699.tif 000011
【手続補正５】
【補正対象書類名】図面
【補正対象項目名】図４
【補正方法】変更
【補正の内容】
【図４】
2013252699.tif 000012
【手続補正６】
【補正対象書類名】図面
【補正対象項目名】図５
【補正方法】変更
【補正の内容】
【図５】
2013252699.tif 000013